(57)【要約】  【課題】  貯留槽内に配置され、上面を傾斜させるように設置される傾斜板について、設置しやすいものを提供する。  【解決手段】  本発明の傾斜板１０は、板部材１１と、長尺状の梁材１２と、板部材１１及び梁材１２の固定を行う固定部材３０とを有し、板部材１１は傾斜板の長さ方向Ｌに配列されて、厚み方向Ｔに重ねるように梁材１２上に載せられるものである。そして、固定部材３３には２ヵ所の固定板３３が設けられ、板部材１１には、固定部材３０の一方の固定板３３を梁材１２の幅方向に進入させることが可能な進入部３９が設けられている。そして、一方の固定部３３を進入部３９に進入させ、一方の固定部３３と他方の固定部３３との間に板部材１１と梁材１２とが挟まる状態を維持することにより、板部材１１と梁材１２とが固定される。【選択図】  図１
2007021311.tif 000002
【特許請求の範囲】
【請求項１】
貯留槽内に配置され、上面を傾斜させるように設置される傾斜板において、
所定の厚みを有する板部材と、長尺状であって所定の幅を有する梁材と、板部材及び梁材の固定を行う固定部材とを有し、板部材は複数設けられて所定の方向である長さ方向に配列されて、梁材に載せられるものであり、固定部材には２ヵ所の固定部が設けられ、２ヵ所の固定部の間には所定の間隔を有しており、板部材には、固定部材の一方の固定部を梁材の幅方向に進入させることが可能な進入部が設けられており、一方の固定部を進入部に進入させ、一方の固定部と他方の固定部との間に板部材と梁材とが挟まる状態を維持することにより、板部材と梁材とが固定されることを特徴とする傾斜板。
【請求項２】
板部材は表板と裏板を有しており、裏板には溝部が形成されており、裏板の溝部側を表板側となるように表板と裏板とを固定して、溝部と表板との隙間を進入部として用いたものであることを特徴とする請求項１に記載の傾斜板。
【請求項３】
固定部材の固定部は平板状である固定板であり、２ヵ所の固定板の面がほぼ平行となっていることを特徴とする請求項１又は２に記載の傾斜板。
【請求項４】
固定部材は、コ字状の板状であることを特徴とする請求項３に記載の傾斜板。
【請求項５】
固定部材の２ヵ所の固定部には、ねじ部材が連通可能な貫通孔が設けられ、一方の固定部と他方の固定部との間に板部材と梁材とが挟まる状態で、ねじ部材を貫通させてねじ部材を板部材及び梁材に締結し、固定部材の脱落を防止するものであることを特徴とする請求項１〜４のいずれかに記載の傾斜板。
【請求項６】
ねじ部材は、裏側から貫通させるものであることを特徴とする請求項５に記載の傾斜板。
【請求項７】
請求項６に記載の傾斜板を製造する傾斜板の製造方法であって、梁材を貯留槽に固定する工程と、板部材を傾斜する状態で梁材の上に載せる工程と、固定部材の一方の固定部を進入部に進入させて装着する工程と、ねじ部材を貫通させてねじ部材を板部材及び梁材に締結する工程とを有するものであることを特徴とする傾斜板の製造方法。
【請求項８】
所定の厚みを有する板部材と、長尺状であって所定の幅を有する梁材と、板部材及び梁材の固定を行う固定部材とを有し、板部材は複数設けられて所定の方向である長さ方向に配列されて、梁材に載せられるものであり、固定部材には２ヵ所の固定部が設けられ、２ヵ所の固定部の間には所定の間隔を有しており、板部材には、固定部材の一方の固定部を梁材の幅方向に進入させることが可能な進入部が設けられており、一方の固定部を進入部に進入させ、一方の固定部と他方の固定部との間に板部材と梁材とが挟まる状態を維持することにより、板部材と梁材とが固定されることを特徴とする板固定構造。
【発明の詳細な説明】
【技術分野】
【０００１】
本発明は、水処理施設の傾斜板や、梁材を用いて板部材を固定した板固定構造に関するものである。
【背景技術】
【０００２】
下水処理施設などの各種の水処理施設は、各地点から適宜の水路を介して集水される下水などの被処理水を処理する施設であるが、水処理施設の中には、被処理水流入側に調整池などの貯留槽が付設されている場合がある。このような貯留槽は、水処理施設に通ずる被処理水の水路の途中に設けられ、深さ１０ｍ以上の大容量のものである。そして、上流側の水路から被処理水が貯留槽内に流入し、下流側へ貯留槽内の被処理水が流出する。
【０００３】
かかる貯留槽は、被処理水中に混入されている落葉や砂などの異物を沈殿させる沈殿槽として作用し、さらに、集中豪雨などにより、水処理施設へ一時に大量の被処理水が流れ込まないように流入量を緩衝する調整槽としての働きや、平時には雨水などを貯めておき、地域の防災などに用いる非常水貯留槽としての働きなどを有するもので、近年、かかる貯留槽を付設した施設が増えている。
【０００４】
上記異物は貯留槽で沈殿するが、貯留槽内の対流などによって一旦沈殿した異物が上昇し、再び、被処理水に混合してしまうおそれがある。そのため、このような水処理施設の貯留槽には、上側に傾斜面が設けられた傾斜板が設けられている。傾斜板は、沈殿する異物が下方へ移動することを可能としながら、貯留槽内の上下方向の流れを制限することができるものである。
このような、傾斜板を有する貯留槽は、特許文献１、２に開示されている。
【特許文献１】特開２００２−３０７０５２号公報
【特許文献２】特開２００３−１４４８１１号公報
【発明の開示】
【発明が解決しようとする課題】
【０００５】
傾斜板の設置は、貯留槽の対向する２ヵ所の壁面に梁材固定部を形成し、両側の梁材固定部同士をつなぐように、橋渡し状態で梁材を梁材固定部に固定し、さらに、梁材上に複数の板部材を載せて傾斜状態で配列し、この状態で梁材と板部材とを固定して行われる。また、傾斜板の上面は傾斜面となるものであり、この傾斜面では異物がスムーズに下降するように、できるだけ平面状にして凹凸がないようにすることが必要がある。
【０００６】
そのため、板部材の固定は、板部材の下側の梁材との間に接着剤を塗布し、さらに、板部材と梁材とを重ねた状態で、上面側からねじが飛びださないようにしながら裏側からねじを進入させて固定している。
【０００７】
特に、板部材の比重が小さいもの、例えば、発泡樹脂などを用いている場合には、比重が被処理水よりも小さくなるので、梁材や板部材の固定部分に上向きの力に考慮した構造とする必要があり、上記のような接着剤による固定が必要であり、また、接着剤による強度が発現するまでに位置がずれたりすることを防止するため、ねじによる固定が行われている。
このような比重が小さい板部材を用いた傾斜板の場合には、全体の重量を小さくすることができるので作業性がよく、また、使用時に固定部分の強度を小さくすることができる。
【０００８】
しかしながら、板部材と梁材とを重ねた状態で、裏側からねじを進入させて固定する作業は難しいものであった。すなわち、梁材は梁材固定部に固定されているが、板部材は梁材に載せられた状態である。そのため、梁材の下側からねじをねじ込むと、ねじの先端が傾斜板に至ったときに、板部材を上側から押さえつけていないと、ねじが板部材に入り込まず、ねじの先端が傾斜板を押してしまう状態となってしまう。そこで、別の作業者が板部材の上に乗るなどして板部材を押さえた状態で作業していた。
【０００９】
接着剤による固定は、強度発現までに時間を要するので作業に日数がかかり、接着剤によって作業者が汚れてしまうことがある。また、接着剤成分の揮発成分が揮発するが、貯留槽には開放部分が少ないので、かかる揮発成分が残留しやすい。そのため、接着剤をしない工法が望ましい。
【００１０】
このように、傾斜板では、複数の板部材を梁材上に配列して、板部材が連結状態で設置されるものであったが、これに限らず、板部材を梁材の上に配置し、下側から固定作業を行う板固定構造の場合にも同様な問題があった。
【００１１】
そこで、本発明は、固定作業が行いやすい傾斜板や板固定構造を提供することを課題とする。
【課題を解決するための手段】
【００１２】
そして、上記した目的を達成するための請求項１に記載の発明は、貯留槽内に配置され、上面を傾斜させるように設置される傾斜板において、所定の厚みを有する板部材と、長尺状であって所定の幅を有する梁材と、板部材及び梁材の固定を行う固定部材とを有し、板部材は複数設けられて所定の方向である長さ方向に配列されて、梁材に載せられるものであり、固定部材には２ヵ所の固定部が設けられ、２ヵ所の固定部の間には所定の間隔を有しており、板部材には、固定部材の一方の固定部を梁材の幅方向に進入させることが可能な進入部が設けられており、一方の固定部を進入部に進入させ、一方の固定部と他方の固定部との間に板部材と梁材とが挟まる状態を維持することにより、板部材と梁材とが固定されることを特徴とする傾斜板である。
【００１３】
請求項１に記載の発明によれば、板部材は、所定の方向である長さ方向に配列されて、梁材に載せられるものであり、固定部材に設けられる２ヵ所の固定部の間には所定の間隔を有しており、板部材の進入部に、一方の固定部を進入させ、一方の固定部と他方の固定部との間に板部材と梁材とが挟まる状態を維持することにより、板部材と梁材とが固定されるものであるので、板部材と梁材との固定を下側から行うことができ、作業性も良い。
【００１４】
請求項２に記載の発明は、板部材は表板と裏板を有しており、裏板には溝部が形成されており、裏板の溝部側を表板側となるように表板と裏板とを固定して、溝部と表板との隙間を進入部として用いたものであることを特徴とする請求項１に記載の傾斜板である。
【００１５】
請求項２に記載の発明によれば、溝部が形成された裏板を有し、裏板の溝部側を表板側となるように表板と裏板とを固定して、溝部と表板との隙間を進入部として用いたものであるので、進入部の形成が容易である。
【００１６】
請求項３に記載の発明は、固定部材の固定部は平板状である固定板であり、２ヵ所の固定板の面がほぼ平行となっていることを特徴とする請求項１又は２に記載の傾斜板である。
【００１７】
請求項３に記載の発明によれば、固定部材の固定部は平板状である固定板であり、２ヵ所の固定板の面がほぼ平行となっているので、固定部材の製作が容易であり、固定作業も行いやすい。
【００１８】
固定部材を、コ字状の板状とすることができる（請求項４）。
【００１９】
請求項５に記載の発明は、固定部材の２ヵ所の固定部には、ねじ部材が連通可能な貫通孔が設けられ、一方の固定部と他方の固定部との間に板部材と梁材とが挟まる状態で、ねじ部材を貫通させてねじ部材を板部材及び梁材に締結し、固定部材の脱落を防止するものであることを特徴とする請求項１〜４のいずれかに記載の傾斜板である。
【００２０】
請求項５に記載の発明によれば、固定部材の２ヵ所の固定部には、ねじ部材が連通可能な貫通孔が設けられ、一方の固定部と他方の固定部との間に板部材と梁材とが挟まる状態で、ねじ部材を貫通させてねじ部材を板部材及び梁材に締結し、固定部材の脱落を防止するものであるので、固定部材の脱落防止を容易に行うことができる。
【００２１】
請求項６に記載の発明は、ねじ部材は、裏側から貫通させるものであることを特徴とする請求項５に記載の傾斜板である。
【００２２】
請求項６に記載の発明によれば、ねじ部材は、裏側から貫通させるものであるので、傾斜板の上面に段差が形成されにくい。
【００２３】
また、請求項６に記載の傾斜板を製造する傾斜板を、梁材を貯留槽に固定する工程と、板部材を傾斜する状態で梁材の上に載せる工程と、固定部材の一方の固定部を進入部に進入させて装着する工程と、ねじ部材を貫通させてねじ部材を板部材及び梁材に締結する工程とによって製造することができる（請求項７）。
【００２４】
さらに、上記の構成を板固定構造に適用することができる。
すなわち、請求項８に記載の発明は、所定の厚みを有する板部材と、長尺状であって所定の幅を有する梁材と、板部材及び梁材の固定を行う固定部材とを有し、板部材は複数設けられて所定の方向である長さ方向に配列されて、梁材に載せられるものであり、固定部材には２ヵ所の固定部が設けられ、２ヵ所の固定部の間には所定の間隔を有しており、板部材には、固定部材の一方の固定部を梁材の幅方向に進入させることが可能な進入部が設けられており、一方の固定部を進入部に進入させ、一方の固定部と他方の固定部との間に板部材と梁材とが挟まる状態を維持することにより、板部材と梁材とが固定されることを特徴とする板固定構造である。
【発明の効果】
【００２５】
本発明の傾斜板や板固定構造では、固定作業が行いやすい。
【発明を実施するための最良の形態】
【００２６】
以下さらに本発明の具体的実施例について説明する。図１は、本発明の第１の実施形態における傾斜板が設置された貯留槽の一部を示す斜視図である。図２は、本発明の第１の実施形態における傾斜板が設置された貯留槽の内部を示す図である。図３は、図１に示す傾斜板の分解斜視図である。図４、図５は、傾斜板を設置する途中を示す、貯留槽の一部を示す斜視図である。図６は、図４に示す傾斜板の分解斜視図である。図７〜図９は、傾斜板の設置方法を説明する説明図である。
【００２７】
本発明の第１の実施形態における傾斜板１０は、図１、図２に示されるように、貯留槽９０内に複数設置されている。そして、各傾斜板１０は、複数の板部材１１を用いて、板部材１１の上面１１ａが所定の角度となって傾斜しており、上面１１ａによって傾斜面が形成されるように設置される。
貯留槽９０は、通常、地下に設けられるものであり、汚水や雨水などの被処理水を流入・流出させることができるものである。また、貯留槽９０はコンクリートで形成される構造体である。
【００２８】
傾斜板１０は、対向する１対の壁面９０ａ、９０ｂの間に、複数設置されているが、傾斜方向を互い違いに反対としながら並べられている。そして、傾斜板１０が並ぶ方向は、壁面９０ａ、９０ｂに沿う方向である。
【００２９】
各傾斜板１０では複数の板部材１１を配列した状態で固定されるものである。そして、板部材１１は所定の厚みを有する長尺状であり、板部材１１の配列方向は長さ方向Ｌであり、板部材１１の長尺方向が、傾斜板１０の幅方向Ｗとなる。
また、板部材１１の上面１１ａが所定の角度となるように傾斜させ、上面１１ａが傾斜面となるようにして設置されるが、板部材１１の長尺方向、すなわち、傾斜板１０の幅方向Ｗが傾斜するように設置されている。したがって、傾斜の途中で段差が形成されにくく、貯留槽９０の使用時に異物を上面１１ａに沿って沈殿させやすい。
【００３０】
板部材１１は、図３に示されるように、表板１５と裏板１６とからなるものである。表板１５は、長方形状の平板であり、対向する辺を２組有している。そして、長辺１５ａ及び短辺１５ｂを有し、長辺１５ａが短辺１５ｂよりも長い。また、裏板１６は表板１５の裏側に配置しており、長さ方向Ｌに延びる平板である。表板１５と裏板１６とは接着剤などにより固定され、全体が一体化される。
また、長辺１５ａに沿う方向が、傾斜板１０の幅方向Ｗとなり、短辺１５ｂに沿う方向が傾斜板１０の長さ方向Ｌとなる。また、幅方向Ｗ及び長さ方向Ｌに直交する方向が厚み方向Ｔとなる。
【００３１】
また裏板１６には、溝部１７を有している。溝部１７は幅方向Ｗ（表板１５の長辺１５ａ方向）に延びる溝である。そして、各裏板１６に設けられる溝部１７は、表板１５の数に対応しており、本実施形態では３カ所設けられている。溝部１７の位置は表板１５側であり、表板１５と裏板１６とが固定されると、溝部１７は貫通孔となり、後述する固定部材３０の固定板３３の進入が可能となる進入部３９となる。
なお、本実施形態の溝部１７は、幅方向Ｗの全域に設けられているが、幅方向Ｗの端部付近だけに設けられていても良く、固定板３３の進入が可能となる進入部３９が形成されていればよい。
【００３２】
本実施形態の板部材１１は、同じ形状の３枚の表板１５を長尺方向を同じ向きにして並んだ状態となっているものであり、３枚の表板１５の短辺１５ｂがつながって１つの辺となっている。
また、本実施形態の板部材１１は、裏板１６は４枚用いられており、長辺１５ａ方向に並んでいる。なお、裏板１６の数は、使用される梁材１２の本数に合わせている。そして、裏板１６の長さは、３枚の表板１５の短辺１５ｂを合わせた長さとほぼ等しく、裏板１６は、短辺１５ｂ方向を横断するように配置されている。
したがって、各裏板１６は３枚の表板１５と固定されているので、３枚の表板１５は一体化されて連結している状態となっており、裏板１６は、表板１５の連結部としても機能する。
なお、板部材１１の表板１５の数は、特に限定されるものでなく３枚以外の枚数でも良く、１枚や２枚や、４枚以上であってもよい。
【００３３】
また、板部材１１における３枚の表板１５の一方の面は、同一平面状となるように配置されており、この面が上面１１ａを構成する。
裏板１６の幅Ｂ（表板１５の長辺１５ａ方向の長さ）は、図３に示すように。後述する梁材１２の幅Ａに対応している。
【００３４】
傾斜板１０の板部材１１の下側には、図４に示すように、複数の梁材１２が配置され、後述するように梁材１２と板部材１１とは固定されている。梁材１２は、図３に示すように断面がＴ字の長尺状であり、上部に位置する載置部２０と下部に位置する補強部２１とを有している。
梁材１２は、その長尺方向が、板部材１１の配列方向となっており、各梁材１２の長尺方向は互いに平行となっている。
【００３５】
載置部２０及び補強部２１は共に長尺板状であり、補強部２１の一方の側面２６と載置部２０の中央付近とを接着剤などにより固定されているものである。そして、載置部２０の載置面２７と、補強部２１の下面２８とは直交する関係となっている。
【００３６】
載置部２０の幅Ａは、裏板１６の長さにほぼ等しく、また、補強部２１の長さＫは、後述する梁材固定部１３の幅にほぼ等しい。
【００３７】
また、梁材１２の長さは、貯留槽９０の壁面９０ａ、９０ｂ同士の距離にほぼ等しく、図４に示されるように、貯留槽９０の壁面９０ａ、９０ｂに配置される梁材固定部１３に、橋渡し状態で固定されている。また、１枚の傾斜板１０には複数の梁材１２が使用されており、これらの配置は互いに平行となるようになっている。
【００３８】
梁材固定部１３は、図５、図６に示されるように、突起２３を有する板状の部材であり、貯留槽９０の壁面９０ａ、９０ｂに固定されている。具体的には、壁面９０ａ、９０ｂを穿孔して、締結部材２５などにより固定している。
梁材固定部１３の設置の向きは、板部材１１の上面１１ａの傾斜に合わせられている。また、突起２３は、梁材１２の数に合わせて設けられており、突起２３の上側面２３ａは梁材固定部１３の長尺方向に対して直角方向に向いている。また突起２３の長さは、梁材固定部１３の幅にほぼ等しく、梁材１２の補強部２１の長さＫにほぼ等しい。
【００３９】
梁材固定部１３に梁材１２を固定する場合には、梁材１２の補強部２１の端部の下面２１ａを、突起２３に載せ、補強部２１と突起２３とを図示しない締結部材などで固定する。梁材１２が固定されると、各梁材１２の載置部２０の載置面２７は、ほぼ同一平面状となる。そして、かかる平面は傾斜しており、この傾斜は板部材１１の上面１１ａの傾斜に合わせられている。
そして、梁材１２を固定した状態は、図４に示されている。
【００４０】
板部材１１、梁材１２、梁材固定部１３の材質は、特に限定されるものでないが、長繊維強化ウレタン発泡樹脂を用いることができる。そして、このような材質を用いた場合には、軽量で強度が大きいので作業しやすい。特に、このような材質のものは、比重が被処理水よりも小さく、浮力が発生して、板部材１１に上向きの力が作用するが、後述する固定部材３０によって板部材１１が上側に脱落することがない。
【００４１】
また、梁材１２と板部材１１との固定には、図３に示すような固定部材３０とねじ部材３１が用いられる。
固定部材３０は、コ字状の平板状の金属部品である。そして、固定部材３０には、貫通孔３２を有する固定板３３が互いに対向するように２カ所設けられている。２ヵ所の固定板３３同士は板面がほぼ平行であり、所定の間隔を有している。
また、２ヵ所の貫通孔３２の位置は、ねじ部材３１を連通させることができる位置関係になっている。
なお、固定部材３０には板状の固定板３３が設けられているが、溝部１７（進入部３９）に進入させることができれば、板状以外の形状を採用することができる。
【００４２】
そして、２ヵ所の固定板３３の内幅は、図７に示されるように、裏板１６の溝部１７の底部１７ａの厚みと、載置部２０の厚みを加えた長さと等しいかやや長いものであり、固定板３３同士の間に、底部１７ａと載置部２０とを配置するようにすることができる。また、固定板３３同士をつなぐ接続板３５は、上記の内幅となるように維持するものである。
【００４３】
固定部材３０により、板部材１１と梁材１２とを固定する場合には、１ヵ所の溝部１７に対して、２個の固定部材３０を用い、梁材１２の幅方向（傾斜板１０の幅方向Ｗ）の両側に装着する。この作業は、板部材１１を梁材１２上に載せた状態で、傾斜板１０の幅方向Ｗに固定部材３０を移動させて溝部１７に進入させるようにして行われ、また、作業は裏側から行われる。
そして、固定部材３０を装着すると、図８に示すように、固定板３３同士の間に底部１７ａと載置部２０とを配置し、固定部材３０の一方の固定板３３は溝部１７に進入した状態となり、他方の固定板３３はを載置部２０の載置面２７とは反対側の裏面２９側となる。
【００４４】
固定部材３０が装着されると、溝部１７に挿入された一方の固定板３３は、裏板１６に引っ掛かった状態となり、他方の固定板３３は、載置部２０の裏面２９に引っ掛かった状態となり、板部材１１は厚み方向Ｔに固定部材３０によって移動できない状態となる。
【００４５】
ねじ部材３１は、固定部材３０を進入させた状態で、固定部材３０、梁材１２の載置部２０及び板部材１１の溝部１７の底部１７ａを一体にして、固定部材３０が脱落しないようにするために用いられるものであり、コーチスクリューボルトなどが用いられている。なお、ねじ部材３１を締結する場合には、必要な下孔を、梁材１２の載置部２０や板部材１１の底部１７ａに開けておく。
そして、ねじ部材３１を使用した状態は、図９に示されるように、固定部材３０の他方の固定板３３、梁材１２の載置部２０、板部材１１の裏板１６及び固定部材３０の一方の固定板３３を貫通する状態となる。
【００４６】
また、ねじ部材３１の軸部３１ａの長さは、固定部材３０の固定板３３同士の外幅寄りも長く、図９に示すように、ねじ部材３１により締結した状態では、ねじ部材３１の先端部３１ｂは、表板１５の裏側に入った状態となるが、上面１１ａ側までは到達しない。したがって、ねじ部材３１が上面１１ａから突出することはない。
【００４７】
そして、傾斜板１０を貯留槽９０に設置する場合には、梁材固定部１３を壁面９０ａ、９０ｂに設置し、梁材１２を梁材固定部１３に固定して、梁材１２を貯留槽９０に固定する。さらに、板部材１１を梁材１２の上に厚み方向Ｔに重ねるように載せ、固定部材３０及びねじ部材３１を用いて、梁材１２に板部材１１を固定して行われる。
なお、ねじ部材３１による締結作業は、傾斜板１０の裏側から行われ、図９に示されるように、ねじ部材３１の先端部３１ｂから進入させる。
【００４８】
本実施形態の構造では、この作業の間で接着剤を使用する必要がないので、作業しやすく、接着剤の強度発現まで次の作業を待つことがないので設置作業を短期間に行うことができる。
【００４９】
また、ねじ部材３１による締結作業を行う場合、板部材１１を上から押さえる必要がないので作業しやすい。すなわち、固定部材３０の固定板３３の一方は、溝部１７に挿入され、他方は載置面２７とは反対側の裏面２９側となっているので、固定部材３０により板部材１１と梁材１２とが離れないため、板部材１１を上から押さえる必要がない。
【００５０】
なお、固定部材３０の脱落防止ができれば、ねじ部材３１以外の手段を用いることができる。例えば、固定部材３０に係合部を形成しておき、溝部１７（進入部３９）又は表板１５に前記係合部に係合する部分を設け、固定部材３０の装着により、これらが係合する構造が採用することができる。また、溝部１７よりも長い平板を用い、この平板を溝部１７により形成される貫通孔に挿入して平板の両端をはみ出す状態とし、平板の端部を折り曲げて固定板３３を形成することもできる。
【００５１】
このように、本実施形態の傾斜板１０では、上面１１ａ側とは反対側からだけで作業を行うことができ、設置作業を行いやすい。また、接着剤の塗布を行わなくても、浮力による傾斜板１０の上側の脱落を防止することができる。
【００５２】
また、板部材１１に、固定部材３０を挿入する部分を設け、梁材１２に対して離れる方向に力がかかった場合に、板部材１１が離れないようにすることができれば、裏板１６を設けなくても良く、他の方法を採用することができる。例えば、表板１５の長辺１５ａ側に凹部を形成して、固定部材３０の固定板３３をかかる凹部に挿入する構造を採用することができる。
【００５３】
さらに、板部材１１を梁材１２に固定して形成される板固定構造であれば、傾斜板１０以外のものにも採用することができる。
【図面の簡単な説明】
【００５４】
【図１】本発明の第１の実施形態における傾斜板が設置された貯留槽の一部を示す斜視図である。
【図２】本発明の第１の実施形態における傾斜板が設置された貯留槽の内部を示す断面図である。
【図３】図１に示す傾斜板の分解斜視図である。
【図４】傾斜板を設置する途中を示す、貯留槽の一部を示す斜視図である。
【図５】傾斜板を設置する途中を示す、貯留槽の一部を示す斜視図である。
【図６】図４に示す傾斜板の分解斜視図である。
【図７】傾斜板の設置方法を説明する説明図である。
【図８】傾斜板の設置方法を説明する説明図である。
【図９】傾斜板の設置方法を説明する説明図である。
【符号の説明】
【００５５】
１０  傾斜板
１１  板部材
１１ａ  上面
１２  梁材
１５  表板
１６  裏板
１７  溝部
３０  固定部材
３１  ねじ部材
３３  固定板
９０  貯留槽
９０ａ、９０ｂ  壁面
【図１】
2007021311.tif 000003
【図２】
2007021311.tif 000004
【図３】
2007021311.tif 000005
【図４】
2007021311.tif 000006
【図５】
2007021311.tif 000007
【図６】
2007021311.tif 000008
【図７】
2007021311.tif 000009
【図８】
2007021311.tif 000010
【図９】
2007021311.tif 000011